【手続補正書】
【提出日】平成19年2月15日(2007.2.15)
【手続補正１】
【補正対象書類名】明細書
【補正対象項目名】０００７
【補正方法】変更
【補正の内容】
【０００７】
この発明の擁壁構築方法によれば、積み重ねる最上段のパネルの裏面の上端から下側へ少なくとも３０ｃｍ以上の領域、すなわち、凍上現象が起こり易い部分に、緩衝材を設け、パネルの裏面と緩衝材との間にスペーサを配置してパネルの裏面と緩衝材との間に隙間を設けたので、または、積み重ねる最上段のパネルの裏面の上端から下端までの領域に、緩衝材を設け、パネルの裏面と緩衝材との間にスペーサを配置してパネルの裏面と緩衝材との間に隙間を設けたので、凍上現象が起こり難くなり、例え凍上現象が起きても、隙間によって撓む緩衝材で凍上現象による圧力を吸収できることにより、パネルと支持部材との接続部分が破断するのを防止でき、パネルの凍上現象による脱落を防止することができる。
そして、充填材を充填しながら緩衝材をパネルの裏面に配置できるので、作業効率よく擁壁を構築することができる。
さらに、スペーサはパネルまたは緩衝材に設けた突出部としたので、別途スペーサを用意する必要もなく、工事費用の上昇を抑えることができる。
そして、緩衝材に複数の排水貫通孔を設けたので、排水貫通孔を介して隙間へ、さらには、隙間からパネルの目地部分の外側へ、すなわち、凍上現象が起こり易い部分の水分を凍上現象が起こり難い部分へ移動させることができる。
さらに、パネルの目地に平行する排水スリットを緩衝材に設けたので、排水スリットを介して隙間へ、さらには、パネルの目地部分の外側へ凍上現象が起こり易い部分の水分を移動させ、外側へ排出することができる。
この発明の他の擁壁構築方法によれば、積み重ねる最上段のパネルの裏面の上端から下側へ少なくとも３０ｃｍ以上の領域に、受圧材を設け、パネルの裏面と受圧材との間に、緩衝機能を有するスペーサを配置してパネルの裏面と受圧材との間に隙間を設けたので、または、積み重ねる最上段のパネルの裏面の上端から下端までの領域に、受圧材を設け、パネルの裏面と受圧材との間に、緩衝機能を有するスペーサを配置してパネルの裏面と受圧材との間に隙間を設けたので、凍上現象が起こり難くなり、例え凍上現象が起きても、隙間によって撓むスペーサで凍上現象による圧力を吸収できることにより、パネルと支持部材との接続部分が破断するのを防止でき、パネルの凍上現象による脱落を防止することができる。
そして、充填材を充填しながら受圧材をパネルの裏面に配置できるので、作業効率よく擁壁を構築することができる。
さらに、スペーサをパネルまたは受圧材に設けたので、別途スペーサを用意する必要もなく、工事費用の上昇を抑えることができる。
そして、受圧材に複数の排水貫通孔を設けたので、排水貫通孔を介して隙間へ、さらには、隙間からパネルの目地部分の外側へ、すなわち、凍上現象が起こり易い部分の水分を凍上現象が起こり難い部分へ移動させることができる。
さらに、パネルの目地に平行する排水スリットを受圧材に設けたので、排水スリットを介して隙間へ、さらには、パネルの目地部分の外側へ凍上現象が起こり易い部分の水分を移動させ、外側へ排出することができる。
【手続補正２】
【補正対象書類名】明細書
【補正対象項目名】００１０
【補正方法】変更
【補正の内容】
【００１０】
図１において、１１はコンクリートを打設して構築した基礎、２１は基礎１１の上に左右方向へ隣接させて並べるとともに上側へ積み重ねる所定形状の壁面パネル、３１は壁面パネル２１を倒れないように後方から支持する支持部材としてのストリップ、５１は壁面パネル２１の裏面に配置される裏側緩衝材、７１は積み重ねた壁面パネル２１の裏面側に充填される充填材としての背面土、８１は積み重ねた壁面パネル２１の上端から後方の背面土７１側へ所定長現場打ちされる天端コンクリート（笠木）、９１は天端コンクリート８１と背面土７１間に配置される上側緩衝材、１０１は基礎１１および下段の壁面パネル２１の前側を埋める埋め戻し材としての埋め戻し土を示す。
なお、Ｗは擁壁を示す。
【手続補正３】
【補正対象書類名】明細書
【補正対象項目名】００１５
【補正方法】変更
【補正の内容】
【００１５】
次に、壁面パネル２１への裏側緩衝材５１の取付について説明する。
まず、壁面パネル２１を所定の方法で形成する。
そして、流路溝５３が設けられた面を壁面パネル２１の裏面に対応させるとともに、壁面パネル２１の周囲から裏側緩衝材５１がはみ出さず、壁面パネル２１の外周と裏側緩衝材５１の外周との間に周回する隙間が確保できる状態で、裏側緩衝材５１を壁面パネル２１の裏面へ押し付ける。
このようにして裏側緩衝材５１を壁面パネル２１の裏面へ押し付けると、壁面パネル２１の裏面に設けられているコネクティブストリップ２３が裏側緩衝材５１の挿通孔を貫通して突出することにより、図４（ａ）に示すように、壁面パネル２１の裏面に裏側緩衝材５１を取り付けることができる。
【手続補正４】
【補正対象書類名】明細書
【補正対象項目名】００１９
【補正方法】変更
【補正の内容】
【００１９】
次に、裏面緩衝材５１の作用について説明する。
まず、凍上現象によってコネクティブストリップ２３とストリップ３１との締結部分を破断させる圧力（応力）が発生する部分の水分（水）を、裏面緩衝材５１に設けられている排水貫通孔５２、裏面緩衝材５１の間に形成される縦排水スリット５４、および、横排水スリット５５（図４参照）で壁面パネル２１と裏側緩衝材５１との間へ排出し、流路溝５３から壁面パネル２１の目地部分の外側へ、または、下側へと排出させることができる。
このようにして壁面パネル２１と裏側緩衝材５１との間を水分（水）が流れるとき、流路溝５３は毛細管現象を起こさせない幅および深さとされているので、壁面パネル２１の裏面、溝５３の内面が平滑であっても、水の表面張力によって水分が留まらず、水分は速やかに落下する。
なお、凍上現象が起きても、凍上現象による圧力（応力）を、流路溝５３を狭めるように弾性変形する裏側緩衝材５１で吸収できるので、コネクティブストリップ２３とストリップ３１との締結部分に、破断させる圧力（応力）が作用しなくなる。
【手続補正５】
【補正対象書類名】明細書
【補正対象項目名】００２０
【補正方法】変更
【補正の内容】
【００２０】
上述したように、この発明の一実施例によれば、積み重ねる最上段の壁面パネル２１の裏面の上端から下端までの領域に、裏側緩衝材５１を設け、壁面パネル２１の裏面と裏側緩衝材５１との間にスペーサ（裏側緩衝材５１の突出部）を配置して壁面パネル２１の裏面と裏側緩衝材５１との間に流路溝５３を設けたので、凍上現象が起こり難くなり、例え凍上現象が起きても、流路溝５３によって撓む裏側緩衝材５１で凍上現象による圧力を吸収できることにより、壁面パネル２１のコネクティブストリップ２３とストリップ３１との接続部分が破断するのを防止でき、壁面パネル２１の凍上現象による脱落を防止することができる。
そして、スペーサは裏側緩衝材５１に設けた突出部としたので、別途スペーサを用意する必要もなく、工事費用の上昇を抑えることができる。
また、裏側緩衝材５１に複数の排水貫通孔５２を設けたので、排水貫通孔５２を介して流路溝５３へ、さらには、流路溝５３から壁面パネル２１の目地部分の外側へ、すなわち、凍上現象が起こり易い部分の水分を凍上現象が起こり難い部分へ移動させることができる。
さらに、壁面パネル２１の目地に平行する縦排水スリット５４、横排水スリット５５を裏側緩衝材５１の間に設けたので、縦排水スリット５４、横排水スリット５５を介して流路溝５３へ、さらには、壁面パネル２１の目地部分の外側へ凍上現象が起こり易い部分の水分を移動させ、外側へ排出することができる。
【手続補正６】
【補正対象書類名】明細書
【補正対象項目名】００３２
【補正方法】変更
【補正の内容】
【００３２】
図７に示す壁面パネル２１、スペーサ４２および裏側受圧材６１を用いても、先の実施例のように擁壁を構築することができる。
そして、裏側受圧材６１同士の間には、壁面パネル２１の縦目地に連通する縦排水スリット、および、壁面パネル２１の横目地に連通する横排水スリットが形成される。
また、スペーサ４２が先の実施例における裏側緩衝材５１と同様に機能するので、凍上現象が起こり難くなり、例え凍上現象が起きても、凍上現象による圧力（応力）を、スペーサ４２が弾性変形することによって吸収できることにより、コネクティブストリップとストリップとの締結部分に、破断させる圧力（応力）が作用しなくなる。
【手続補正７】
【補正対象書類名】図面
【補正対象項目名】図２
【補正方法】変更
【補正の内容】
【図２】
2006249718.tif 000001